(57)【要約】【課題】  コンクリートパネルの製作作業に要する労力の低減、コンリートパネルの軽量化、コストダウン、さらに外荷重によるせん断力をコンリートパネルと後打ちコンクリートとの合成コンクリート構造体として負担するようにしたトンネル構造体を提供する。【解決手段】  コンクリートパネル1,1を所定の窪地上に組み立てる。組み立てに際し、パネル端部の対応する湾曲した貫通孔2,2を突き合わせ、当該貫通孔2,2に両端にネジ山を持つ湾曲した連結用鋼棒３を挿通する。当該連結用鋼棒３の両端にナット４の一端のネジ孔を螺着し、定着板５に締め付けることによりコンクリートパネル1,1をボルト連結する。ナット４の他端のネジ孔に鋼棒６を螺着してアンカー筋とする。組み立てたコンクリートパネル1,1の裏側に型枠を組み立て、鉄筋を配設し、後打ちコンクリート７を打設する。後打ちコンクリート７が硬化した後、型枠を撤去し、その上方および側方に盛土８を施工する。【選択図】                  図１
2005330803.tif 000002
【特許請求の範囲】
【請求項１】
（Ａ）裏側から連結端面に向けて湾曲した連結用貫通孔を穿孔してある湾曲した複数個のコンクリートパネルの湾曲方向の端部同士を相互に隣接し、コンクリートパネルの該連結用貫通孔に、両端にネジ山を持つ湾曲した連結用鋼棒を挿通し、ナットを該連結用鋼棒のネジ山に螺着してコンクリートパネルをボルト連結してなるアーチ形のコンクリート体と、（Ｂ）該ナットの空いているネジ孔に螺着されてパネル裏側に突出させた鋼棒と、（Ｃ）連結されたコンクリートパネルの裏側に、必要に応じて所定の配筋を行った後、打設される後打ちコンクリート部とからなり、上記後打ちコンクリート部の背面に盛土してなることを特徴とするトンネル構造体。
【請求項２】
（Ａ）裏側から連結端面に向けて湾曲した貫通孔を穿孔してある湾曲した複数個のコンクリートパネルの湾曲方向の端部同士を相互に隣接してなるアーチ形のコンクリート体と、（Ｂ）コンクリートパネルの該貫通孔に挿通されるとともに、両端をコンクリートパネルの裏側に突出させた湾曲した鋼棒と、（Ｃ）連結されたコンクリートパネルの裏側に、必要に応じて所定の配筋を行った後、打設された後打ちコンクリート部とからなり、上記後打ちコンクリート部の背面に盛土してなることを特徴とするトンネル構造体。
【発明の詳細な説明】
【技術分野】
【０００１】
本発明は、プレキャストコンクリートパネルと後打ちコンクリートとの合成コンクリートとして構築されたトンネル構造体に関するものである。
【背景技術】
【０００２】
スラブや壁などを構築する工法の一つとして、プレキャストコンクリートパネルを縦横に連結して埋設型枠とし、その背面に後打ちコンクリートを打設して合成コンクリート部材のスラブや壁などを構築する工法がよく知られている。この際、コンクリートパネルと後打ちコンクリートとの付着をよくし一体化を図るために、コンクリートパネル製作時に裏面にインサートまたは鉄筋のフックを埋め込んでおき、このインサートまたは鉄筋のフックを利用してコンクリートパネルの裏側に鉄筋を配設した後、後打ちコンクリートを打設するのが一般的である。
【０００３】
【特許文献１】実開平０２−０８９０９７号公報
【特許文献２】特開平０２−３０８０４２号公報
【特許文献３】特開平０８−１０９６４５号公報
【特許文献４】実開昭５０−０８３０３２号公報
【発明の開示】
【発明が解決しようとする課題】
【０００４】
従来の工法では、連結したコンクリートパネルの裏側に鉄筋を配設するためにコンクリートパネル製作時に裏面にインサートまたは鉄筋のフックを埋め込んでおくことが必要であるので、コンクリートパネルの製作に多大の労力を必要とすることとなっていた。また、コンクリートパネルの保管時には埋め込まれたインサートまたは鉄筋のフックを防錆しておく必要があった。
【課題を解決するための手段】
【０００５】
本発明は、従来のコンクリートパネルへのインサートまたは鉄筋のフックを埋め込みに代えて、コンクリートパネル製作時にパネル四周縁にパネル連結端面に開口する貫通孔を穿孔しておき、この貫通孔を利用して後打ちコンクリート用のアンカー筋および必要に応じて補強筋を配設するものである。従来のインサートまたは鉄筋のフックの埋め込み作業が四周縁への貫通孔の形成作業に代わるので作業に要する労力を大いに低減され、惹いては合成コンクリート部材の構築に要する効率が向上する。そして、コンクリートパネルの保管時のインサートまたは鉄筋のフックの錆の心配は全くなくなる。
【０００６】
本発明の請求項１記載の発明は、（Ａ）裏側から連結端面に向けて湾曲した連結用貫通孔を穿孔してある湾曲した複数個のコンクリートパネルの湾曲方向の端部同士を相互に隣接し、コンクリートパネルの該連結用貫通孔に、両端にネジ山を持つ湾曲した連結用鋼棒を挿通し、ナットを該連結用鋼棒のネジ山に螺着してコンクリートパネルをボルト連結してなるアーチ形のコンクリート体と、（Ｂ）該ナットの空いているネジ孔に螺着されてパネル裏側に突出させた鋼棒と、（Ｃ）連結されたコンクリートパネルの裏側に、必要に応じて所定の配筋を行った後、打設される後打ちコンクリート部とからなり、上記後打ちコンクリート部の背面に盛土してなることを特徴とするトンネル構造体であり、請求項２記載の発明は、（Ａ）裏側から連結端面に向けて湾曲した貫通孔を穿孔してある湾曲した複数個のコンクリートパネルの湾曲方向の端部同士を相互に隣接してなるアーチ形のコンクリート体と、（Ｂ）コンクリートパネルの該貫通孔に挿通されるとともに、両端をコンクリートパネルの裏側に突出させた湾曲した鋼棒と、（Ｃ）連結されたコンクリートパネルの裏側に、必要に応じて所定の配筋を行った後、打設された後打ちコンクリート部とからなり、上記後打ちコンクリート部の背面に盛土してなることを特徴とするトンネル構造体である。
【０００７】
請求項１と２にそれぞれ記載の発明に共通している点は、パネル連結端面に開口して穿孔された貫通孔を利用してパネル裏側に鉄筋を突出させておき、この鉄筋を後打ちコンクリート用のアンカー筋とし、パネルと後打ちコンクリートとの一体化を図る点である。後打ちコンクリート用として補強筋を配設する必要がある場合にはパネル裏側に突出しているアンカー筋を利用して補強筋を配設する。
【０００８】
また、コンクリートパネルの構造と連結端面の貫通孔の方向も共通している。即ち、コンクリートパネルは周縁部、中央部ともに同じ厚さの湾曲したパネルであり、貫通孔はパネルの裏側から連結端面に向けて湾曲して穿孔されている。そして、連結端面の貫通孔を突き合わせ、一方のコンクリートパネルの裏側から貫通孔と同じ曲率で湾曲している鋼棒を挿通する。コンクリートパネルには鉄筋コンクリート構造のパネルを使用するのが好ましい。鉄筋コンクリート構造のパネルを使用することにより、挿通した鋼棒に後打ちコンクリートのアンカー筋としての機能のみでなく、パネル内の鉄筋同士を連結・一体化するという機能をも持たせることが可能になる。
【０００９】
一方、請求項１記載の発明と請求項２記載の発明との相違点は、請求項１記載の発明では、この貫通孔をコンクリートパネル相互のボルト連結およびアンカー筋の配設の両方に利用するのに対して、請求項２記載の発明では、アンカー筋の配設のみに利用する点である。即ち、請求項１記載の発明では、隣接するコンクリートパネルの貫通孔に跨がって、両端にネジ山を持つ湾曲した連結用鋼棒を挿通し、両端にナットを螺着して各コンクリートパネルの裏面側に固定して両コンクリートパネルをボルト連結し、次いで、ナットの空いている他端のネジ孔に鋼棒を螺着してアンカー筋を配設する。
【００１０】
これに対し、請求項２記載の発明では、上記貫通孔は湾曲したアンカー筋の配設にのみ利用され、隣接するコンクリートパネルを相互に連結する必要がある場合には、この貫通孔とは別に設けた孔や切り欠きを利用してボルト連結する方法、通常の継ぎ手金物を埋設しておき、それにより連結する方法、ほぞとほぞ穴を設けて連結する方法などにより通常のように連結される。
【００１１】
また特に、請求項１記載の発明において、隣接するコンクリートパネル相互の連結をより一層強固にする必要がある場合には、通常の連結方法が併用される。
【００１２】
また、何れの発明の場合も、後打ちコンクリートが少量でパネル裏面の空間を充填する程度である時はアンカー筋の他に補強筋を配設する必要はないが通常はもっと大量の後打ちコンクリートを打設してトンネル構造体とするので、その場合には配設したアンカー筋を利用してパネル背面に補強筋を配設した後、後打ちコンクリートを打設する。
【発明の効果】
【００１３】
本願発明は、コンクリートパネル製作時にパネルの端縁部にパネル連結端面に開口する湾曲した貫通孔を穿孔しておき、この貫通孔を利用して後打ちコンクリート用のアンカー筋を配設するので、従来のコンリートパネルへのインサートまたは鉄筋フックの埋め込みが不要となり、コンクリートパネル製作作業に要する労力が大いに低減する。そして、コンクリートパネルの保管時のインサートまたは鉄筋のフックの錆の心配は皆無となる。
【００１４】
特に、貫通孔がアンカー筋配設のための機能と隣接するコンリートパネルのボルト連結のための機能とを兼備するので、コンリートパネルを連結するための連結孔、切り欠き、継ぎ手金物などの設置が不要となり、なお一層コンクリートパネル製作作業に要する労力が低減する。
【００１５】
さらに、鋼棒であるアンカー筋を介してコンリートパネルと後打ちコンクリートとが一体化し、外荷重が載荷した時にコンリートパネルに発生する剪断力をトンネル構造体全体で負担するので、コンリートパネルの軽量化、コストダウンにつながる。
【発明を実施するための最良の形態】
【００１６】
以下、図面を参照しながら本願発明の実施の形態を説明する。
【００１７】
図１は、トンネル構造体を示す縦断面図、図２は隣接するコンクリートパネルの連結部を示し、（ａ）は平面図、（ｂ）は側面図、（ｃ）は連結部の側面図である。
【００１８】
図において、使用されるコンクリートパネル１は湾曲し、全面にわたって均一な肉厚をなし、かつ左右の端縁部に裏面から連結端面に向けて湾曲した複数の貫通孔２がコンクリートパネル１の連結面に直交して穿孔されている。
【００１９】
隣接するコンクリートパネル１、１の対応する貫通孔２、２は突き合わせられ、当該貫通孔２，２に両端にネジ山を持つ湾曲した連結用鋼棒３を挿通し、当該連結用鋼棒３の両端にナット４の一端のネジ孔を螺着し、定着板５に締め付けることにより隣接するコンクリートパネル１、１がボルト連結されている。
【００２０】
ナット４は両側にネジ孔があり、他端のネジ孔は空いているので、この空いているネジ孔にアンカー筋として鋼棒６が螺着されている。
【００２１】
また、コンクリートパネル１、１は左右方向のみ連結され、前後方向は隣接して載置されているだけで連結されていない。必要に応じて、前後方向は通常の連結方法で連結されている。  
【００２２】
トンネル構造体を構築する際にはコンクリートパネル１、１を所定の窪地上に組み立てる。組み立てに際して対応する貫通孔２、２を突き合わせ、当該貫通孔２，２に両端にネジ山を持つ湾曲した連結用鋼棒３を挿通し、当該連結用鋼棒３の両端にナット４の一端のネジ孔を螺着し、定着板５に締め付けコンクリートパネル１、１をボルト連結する。また、ナット４の他端のネジ孔に鋼棒６を螺着してアンカー筋とする。
【００２３】
コンクリートパネル１、１のトンネル方向の連結は通常のボルト連結で連結する。また、組み立てたコンクリートパネル１、１の裏側に型枠を組み立て、鉄筋を配設するか、配設することなく後打ちコンクリート７を打設する。
【００２４】
そして、後打ちコンクリート７が硬化した後、型枠を撤去し、その上方および側方に盛土８を施工することによりアーチ形のトンネル構造体が完成する。
【００２５】
図３は、隣接するコンクリートパネルの連結部の他の例を示し、（ａ）は平面図、（ｂ）は側面図である。
【００２６】
ここで使用されるコンクリートパネル１は湾曲し、全面にわたって均一な肉厚をなし、かつ左右の端縁部に裏面から連結端面に向けて湾曲した複数の貫通孔４が穿孔してある。
【００２７】
隣接するコンクリートパネル１、１は図示していない別に設けた孔や切り欠きの組み合わせや継ぎ手金物により通常の方法で連結されている。また、隣接するコンクリートパネル１、１の湾曲した貫通孔２、２は連通し、当該貫通孔２，２に湾曲した連結用鋼棒３を挿通し、当該連結用鋼棒３の両端３ａ，３ａはコンクリートパネル１、１の裏側に角を生やした形で長く突出させてアンカー筋として配設しておく。
【００２８】
トンネル構造体を構築する際にはコンクリートパネル１、１を所定の窪地上に組み立てる。組み立てに際して対応する貫通孔２，２を突き合わせ、当該貫通孔２，２に湾曲した連結用鋼棒３を挿通し、当該連結用鋼棒３の両端３ａ，３ａをコンクリートパネル１、１の裏側に角を生やした形で長く突出させてアンカー筋とする。
【００２９】
コンクリートパネル１、１のトンネル方向の連結は通常のボルト連結で連結する。また、組み立てたコンクリートパネル１、１の裏側に型枠を組み立て、鉄筋を配設するか、配設することなく後打ちコンクリート７を打設する。
【００３０】
そして、後打ちコンクリート７の硬化後、型枠を撤去し、その上方および側方に盛土８を施工することによりアーチ形のトンネル構造体が完成する。
【産業上の利用可能性】
【００３１】
本願発明は、コンクリートパネルの製作作業に要する労力の低減、コンリートパネルの軽量化、コストダウン、さらに外荷重によるせん断力をコンリートパネルと後打ちコンクリートとの合成コンクリート構造体として負担するようにしたトンネル構造体を構築することができる。
【図面の簡単な説明】
【００３２】
【図１】トンネル構造体の縦断面図である。
【図２】隣接するコンクリートパネルの連結部を示し、（ａ）は平面図、（ｂ）は側面図、（ｃ）は連結部の側面図である。
【図３】隣接するコンクリートパネルの連結部を示し、（ａ）は平面図、（ｂ）は側面図である。
【符号の説明】
【００３３】
１  コンクリートパネル、
２  貫通孔、
３  連結用鋼棒、
４  ナット
５  定着板
６  鋼棒
７  後打ちコンクリート
８  盛土
【図１】
2005330803.tif 000003
【図２】
2005330803.tif 000004
【図３】
2005330803.tif 000005